(57)【特許請求の範囲】
【請求項１】
自動車の跳ね上げフラップ、特に、自動車の車体開口部における上方端縁に配置した水平な回動軸の周りで、下方の閉鎖状態から上方の開放状態に回動可能なテールゲートのためのフラップ開放装置であって、
ピストンロッドおよびシリンダを有するガスばねであって、前記ピストンロッドの遊端を、前記回動軸に対して離間して跳ね上げフラップもしくは車体に回動可能に連結し、前記シリンダを、前記回動軸に対して離間して車体もしくは跳ね上げフラップに回動可能に連結し、作動時に跳ね上げフラップに開放方向への力を加える、該ガスばねと、および、
開放方向への回転モーメントを跳ね上げフラップに伝達可能なアクチュエータと、
を有する該フラップ開放装置において、
前記アクチュエータを、テンション装置（５，５′）、およびこのテンション装置（５，５′）の作用によって、前記跳ね上げフラップの閉鎖状態に対応するエネルギーを蓄積したエネルギー蓄積位置をとり、またこのエネルギー蓄積位置から蓄積されたエネルギーが完全に釈放されるエネルギー釈放位置まで蓄積されたエネルギーによる力を前記跳ね上げフラップに加えて前記跳ね上げフラップの開放ストロークの初期段階を行わせることができるエネルギー蓄積装置（４）により構成し、
前記エネルギー蓄積装置がエネルギー釈放位置に到達した後、跳ね上げフラップに開放方向への力を加える作用を、前記ガスばねのみに任せ、前記テンション装置（５，５′）は、前記エネルギー蓄積装置を、予め前記エネルギー蓄積位置に移行させる構成としたことを特徴とするフラップ開放装置。
【請求項２】
エネルギー釈放位置への到達を、センサによって認識可能にしたことを特徴とする請求項１に記載のフラップ開放装置。
【請求項３】
前記エネルギー蓄積装置を前記ピストンロッド（３）に配置し、前記ピストンロッド（３）が突出移動する方向に前記シリンダ（２）に力を加えるようにしたことを特徴とする請求項１または２に記載のフラップ開放装置。
【請求項４】
前記エネルギー蓄積装置を前記車体に配置し、１個またはそれ以上の押圧素子を介して前記跳ね上げフラップに力を加えるようにしたことを特徴とする請求項１または２に記載のフラップ開放装置。
【請求項５】
前記押圧素子を、スリーブ（１３）内でガイドされる押圧ケーブル（１４）としたことを特徴とする請求項４に記載のフラップ開放装置。
【請求項６】
前記押圧素子を、押圧ロッドとしたことを特徴とする請求項４または５に記載のフラップ開放装置。
【請求項７】
前記エネルギー蓄積装置を、ばね力蓄積手段としたことを特徴とする請求項１〜６のいずれか一項に記載のフラップ開放装置。
【請求項８】
前記ばね力蓄積手段を、圧縮コイルばね（１１，１１’）により構成したことを特徴とする請求項７に記載のフラップ開放装置。
【請求項９】
前記テンション装置（５，５’）を、電動モータにより駆動する構成としたことを特徴とする請求項１〜８のいずれか一項に記載のフラップ開放装置。
【請求項１０】
前記テンション装置（５，５’）は、可逆回転可能な電動モータ（６）によって、エネルギー蓄積手段がエネルギーを蓄積する方向および蓄積されたエネルギーを釈放する方向に駆動可能であることを特徴とする請求項９に記載のフラップ開放装置。
【請求項１１】
前記テンション装置（５，５’）を、前記電動モータ（６）から伝動装置（７）を介して駆動可能としたことを特徴とする請求項１０に記載のフラップ開放装置。
【請求項１２】
前記電動モータ（６）によって、ねじロッド（８）を回転駆動し、このねじロッド（８）を、回転不能かつ軸線方向に移動可能にナット（９）のねじ孔にねじ掛合させ、前記ナット（９）の一方の端部を、前記ねじロッド（８）に対して同軸状に配置し、他方の端部を圧縮コイルばね（１１）に支持したことを特徴とする請求項９〜１１のいずれか一項に記載のフラップ開放装置。
【請求項１３】
前記ナット（９）を、ばねケーシング（１０）を介して前記圧縮コイルばね（１１）に支持したことを特徴とする請求項１２に記載のフラップ開放装置。
【請求項１４】
前記ガスばね（１）の前記シリンダ（２）は、エネルギー蓄積装置によって、前記ピストンロッド（３）を突出させる方向に摺動するための力が加わるようにしたことを特徴とする請求項４〜１３のいずれか一項に記載のフラップ開放装置。
【請求項１５】
前記ピストンロッド（３）の、前記シリンダ（２）から突出する端部に、ガイド部分（１６）を固定連結し、このガイド部分において、前記押圧素子の、エネルギー蓄積装置とは逆側の端部領域を、前記ガスばね（１）の縦方向に指向する前記ガイド部分（１６）の軸線方向に摺動案内し、この押圧素子の端部領域によって、前記シリンダ（２）が、前記ピストンロッド（３）を突出させる方向へ摺動するための力を受けるようにしたことを特徴とする請求項１４に記載のフラップ開放装置。
【請求項１６】
前記シリンダ（２）に、半径方向に張り出した押圧部材（１５）を設け、この押圧部材（１５）は、前記押圧素子によって前記ピストンロッド（３）を突出させる方向への力が加わるようにしたことを特徴とする請求項１５に記載のフラップ開放装置。
【請求項１７】
車体もしくは跳ね上げフラップに回動可能に連結した前記ガスばね（１）の前記シリンダ（２）に、該シリンダの車体もしくは跳ね上げフラップに回動可能に連結した端部から離間して、単腕状の回動レバー（１７）を設け、この回動レバー（１７）の一方の端部を、前記回動軸に対して平行な軸（１８）の周りに回動可能に連結し、この回動レバー（１７）の遊端である他方の端部を、車体に固定された部分に支持し、前記軸（１８）に対して離れた位置にある前記エネルギー蓄積装置によって、前記押圧素子が前記回動レバーに作用して前記回動レバー（１７）と前記ガスばね（１）との間に相対回動を生ずるための力を受け、前記ガスばね（１）に対して、跳ね上げフラップを開放方向に移動させるための力を加えるようにしたことを特徴とする請求項４〜１４のいずれか一項に記載のフラップ開放装置。
【請求項１８】
前記ピストンロッド（３）の車体に回動可能に連結する端部をガイド部分（１６）に固着し、このガイド部分において、前記押圧素子の、エネルギー蓄積装置側とは逆側の端部領域を、前記ガスばね（１）の縦方向に指向する前記ガイド部分（１６）の軸線方向に摺動案内し、この押圧素子の端部領域によって、前記回動レバー（１７）が、前記ガスばね（１）に対して、跳ね上げフラップを開放方向に移動させるための力を加えるようにしたことを特徴とする請求項１７に記載のフラップ開放装置。
【請求項１９】
前記ピストンロッド（３）のシリンダ（２）から突出する端部をガイド部分（１６）に固着し、このガイド部分において、前記押圧素子の、エネルギー蓄積装置側とは逆側の端部領域を、前記ガスばね（１）の縦方向に指向する前記ガイド部分（１６）の軸線方向に摺動案内し、この押圧素子の端部領域によって、前記回動レバー（１７）が、前記ガスばね（１）に対して、跳ね上げフラップを開放方向に移動させるための力を加えるようにしたことを特徴とする請求項１８に記載のフラップ開放装置。
【請求項２０】
前記回動レバー（１７）の前記遊端を、車体に固着したスライドレーンによって支持したことを特徴とする請求項１７〜１９のいずれか一項に記載のフラップ開放装置。
【請求項２１】
前記エネルギー蓄積装置をばね力蓄積手段とし、前記ばね力蓄積手段を前記ガスばね（１）に配置し、前記ばね力蓄積手段の一方の端部を、前記ガスばね（１）の前記シリンダ（２）に支持し、および他方の端部を前記ピストンロッド（３）の遊端に支持し、前記ばね力蓄積手段は前記テンション装置（５’）によってばね力蓄積手段のばねが緊張してエネルギーを蓄積する位置に変位可能にし、また、前記ばねが緊張する位置に拘束可能にしたことを特徴とする請求項１または２に記載のフラップ開放装置。
【請求項２２】
前記ばね力蓄積手段を構成する前記圧縮コイルばね（１１’）が前記ピストンロッド（３）を包囲し、その第１端部を、前記ピストンロッドに摺動可能に配置された支持ケーシング（１９）を介して前記シリンダ（２）に支持したことを特徴とする請求項２１に記載のフラップ開放装置。
【請求項２３】
前記ばね力蓄積手段を、前記ピストンロッド（３）に対し同軸状に、ケーシング（２１）に配置し、前記ばね力蓄積手段の第２端部を前記ケーシング（２１）の底面（２０）に支持し、該底面（２０）は同軸状の開口（２２）を有し、前記ピストンロッド（３）を、前記開口（２２）を貫通させて案内したことを特徴とする請求項２２に記載のフラップ開放装置。
【請求項２４】
前記支持ケーシング（１９）に引張ロープ（２４）の一方の端部を固定し、この引張ロープ（２４）の他方の端部を前記ピストンロッド（３）に対して平行に延在させて前記テンション装置（５′）に連結し、前記テンション装置（５’）が前記引張ロープ（２４）を牽引することによって、前記ばね力蓄積手段の圧縮方向に移動駆動するよう構成したことを特徴とする請求項２２〜２３のいずれか一項に記載のフラップ開放装置。
【請求項２５】
前記ばね力蓄積手段を、拘束装置によってばね力蓄積位置に拘束可能としたことを特徴とする請求項２１〜２４のいずれか一項に記載のフラップ開放装置。
【請求項２６】
エネルギー蓄積装置（４）は、跳ね上げフラップに配置したトーションばねを有するものとし、このトーションばねによって、跳ね上げフラップに配置し、かつ回動軸に対して同軸状にもしくは平行な軸線（２８）の周りに回動可能な回動レバー（３０）を設け、この回動レバー（３０）を前記跳ね上げフラップの平面から離れる方向に回動駆動可能にし、該回動レバー（３０）の、前記軸線（２８）側とは逆側の端部を、自動車の車体に支持可能にし、前記回動レバー（３０）の回動により、跳ね上げフラップを開放方向に移動させるための力を加えるようにしたことを特徴とする請求項１〜２，７，９のうちいずれか一項に記載のフラップ開放装置。
【請求項２７】
前記回動レバー（３０）を、前記軸線（２８）周りに回転駆動可能な駆動軸（２９）から半径方向に突出するよう固定し、前記駆動軸（２９）にロープドラム（３３）を固定し、前記駆動軸（２９）は、トーションばねによって回転方向に力を受け、前記ロープドラム（２９）に引張ロープ（２４）の一方の端部を固定してこの引張ロープ（２４）を前記ロープドラム（３３）の周囲に巻き付き可能にし、前記引張ロープ（２４）の他方の端部をテンション装置に連結し、前記跳ね上げフラップが閉じているとき前記引張ロープ（２４）を、テンション装置によって前記ロープドラム（３３）から引き出す方向に緊張させるとともに、前記ロープドラム（３３）を回転駆動させ、前記トーションばねを緊張させ、前記回動レバー（３０）を駆動可能状態にしたことを特徴とする請求項２６に記載のフラップ開放装置。
【発明の詳細な説明】
【技術分野】
【０００１】
本発明は、自動車の跳ね上げフラップ、特に、自動車の車体の開口部における上方端縁に配置した水平な回動軸の周りで、下方の閉鎖状態から上方の開放状態に回動可能なテールゲートのためのフラップ開放装置に関し、ピストンロッドおよびシリンダを有するガスばねであって、ピストンロッドの遊端を、回動軸に対して離間して跳ね上げフラップもしくは車体に回動可能にヒンジ連結（関節連結）し、シリンダを、回動軸に対して離間して車体もしくは跳ね上げフラップに回動可能にヒンジ連結し、作動時に跳ね上げフラップに開放方向への力を加える、該ガスばねと、および、開放方向への回転モーメントを跳ね上げフラップに伝達可能なアクチュエータと、を有するフラップ開放装置に関するものである。
【背景技術】
【０００２】
このようなフラップ開放装置では、ガスばねに加えて、可逆回転駆動可能なモータによって駆動する回動レバーをアクチュエータとして用い、跳ね上げフラップに作用させる。ガスばねは、回動レバーによる回動駆動の補助を行う。
【０００３】
しかし、このような構成は、無駄が多く、高コストである。
【発明の開示】
【発明が解決しようとする課題】
【０００４】
したがって、本発明の目的は、冒頭で述べたようなフラップ開放装置において、構成が簡単で、僅少な設置スペースのみを必要とするフラップ開放装置を得ることにある。
【課題を解決するための手段】
【０００５】
この目的を達成するため、本発明フラップ開放装置は、アクチュエータを、テンション装置、およびこのテンション装置の作用によって、前記跳ね上げフラップの閉鎖状態に対応するエネルギーを蓄積したエネルギー蓄積位置をとり、また前記跳ね上げフラップに開放ストロークを行わせる力を加えるエネルギー釈放位置をとることができるエネルギー蓄積装置により構成し、前記エネルギー蓄積装置がエネルギー釈放位置に到達した後、跳ね上げフラップに開放方向への力を加える作用を、前記ガスばねのみに任せ、前記テンション装置は、前記エネルギー蓄積装置を、予め前記エネルギー蓄積位置に移行させる構成としたことを特徴とする。
【発明の効果】
【０００６】
アクチュエータは、開放運動時のみに必要とされるので、簡単に、かつ一方向のみに作動するように構成することができる。閉鎖移動は、ガススプリングの作用とは逆向きの、跳ね上げフラップの重量による支援を受ける。これにより、跳ね上げフラップが閉じる際に、エネルギー蓄積装置が抵抗力を生じることがなく、跳ね上げフラップを閉じるには、小さな腕力のみを必要とする。
【発明を実施するための最良の形態】
【０００７】
好適には、跳ね上げフラップが開放角度、すなわち、ガスばねが自動的に跳ね上げフラップをさらに開放させる位置に達した時に、エネルギー釈放位置に到達するようにする。
【００１０】
エネルギー釈放位置への到達を、センサによって認識可能にし、テンション装置によるエネルギー蓄積位置への移動を開始させることができる。
【００１１】
製品サイズと必要な設置スペースを小さくするために、エネルギー蓄積装置をピストンロッドに配置し、シリンダに、ピストンロッドが突出する方向に移動するための力を加えるようにすることができる。
【００１２】
しかし、エネルギー蓄積装置を車体に配置し、１個またはそれ以上の押圧素子によって跳ね上げフラップに力を加えるようにすることも可能である。
【００１３】
押圧素子を、スリーブ内でガイドされる押圧ケーブルもしくは押圧ロッドとし、簡単な、故障が少ない構成にすることができる。
【００１４】
同様に、エネルギー蓄積装置をばね力蓄積手段により構成することによって、簡単に組み立て可能にし、かつ故障を少なくすることができる。
【００１５】
ばね力蓄積手段を、圧縮コイルばねにより構成することができる。
【００１６】
テンション装置を作動させるために、テンション装置を電動モータによって駆動させることが可能であり、その際、テンション装置は可逆回転可能な電動モータによって、エネルギー蓄積方向およびエネルギー釈放方向に駆動可能とする。
【００１７】
テンション装置を、電動モータによって伝動装置を介して駆動する場合、エネルギー蓄積装置は、伝動装置の自己制動によって、その予エネルギー蓄積位置に保持することができ、そのための個別の拘束装置が不要になる。
【００１８】
電動モータによってねじロッドを回転駆動し、このねじロッドは、回転不能かつ軸線方向に移動可能なナットのねじ孔にねじ掛合し、このナットは、ねじロッドに対して軸線方向に配置され、他方の端部を圧縮コイルばねに支持されるようにすることによって、製品サイズを小さくすることができ、その際、このナットが、ばねケーシングを介して圧縮コイルばねに支持されるようにすることができる。
【００１９】
ガスばねのシリンダが、エネルギー蓄積装置によって、ピストンロッドを突出させる方向に摺動するための力が加わるようにすることによって、さらに、設置スペースを節約することができる。
【００２０】
前記ピストンロッドの、前記シリンダから突出する端部に、ガイド部分を固定連結し、このガイド部分において、前記押圧素子の、エネルギー蓄積装置とは逆側の端部領域を、前記ガスばねの縦方向に指向する軸線方向に摺動案内し、この押圧素子の端部領域によって、前記シリンダが、前記ピストンロッドを突出させる方向へ摺動するための力を受けるようにすることができる。
【００２１】
前記シリンダに、半径方向に張り出した押圧部材を設け、この押圧部材は、前記押圧素子によって前記ピストンロッドを突出させる方向への力が加わるようにすることができる。
【００２２】
車体もしくは跳ね上げフラップに関節連結した前記ガスばねの前記シリンダに、該シリンダの車体もしくは跳ね上げフラップに関節連結した端部から離間して、単腕状の回動レバーの一方の端部を、前記回動軸に対して平行な軸の周りに回動可能に連結し、この回動レバーの遊端である他方の端部を、車体に固定された部分に支持し、前記軸に対して離れた位置にある前記エネルギー蓄積装置によって、回動するための力を受けるようにすることができ、また、前記ピストンロッドの車体に関節連結する端部をガイド部分に固着し、このガイド部分において、前記押圧素子の、エネルギー蓄積装置側とは逆側の端部領域を、前記ガスばねの縦方向に指向する軸線方向に摺動案内し、この押圧素子の端部領域によって、前記回動レバーが、前記ガスばねに対して、跳ね上げフラップを開放方向に移動させるための力を加えるようにすることができる。
【００２３】
前記ピストンロッドのシリンダから突出する端部をガイド部分に固着し、このガイド部分において、前記押圧素子の、エネルギー蓄積装置側とは逆側の端部領域を、前記ガスばねの縦方向に指向する軸線方向に摺動案内し、この押圧素子の端部領域によって、前記回動レバーが、前記ガスばねに対して、跳ね上げフラップを開放方向に移動させるための力を加えるようにすることができる。
【００２４】
支持と適切な相対移動のために、回動レバーの前記遊端を、車体に固着したスライドレーンによって支持することができる。
【００２５】
前記ばね力蓄積手段を前記ガスばねに配置し、前記ばね力蓄積手段の一方の端部を、前記ガスばねの前記シリンダに支持し、および他方の端部を前記ピストンロッドの遊端に支持し、前記ばね力蓄積手段は前記テンション装置によって緊張可能にし、また、この緊張位置に拘束可能にすると、さらに組み立てが容易で、スペースが節約される構成になる。
【００２６】
前記ばね力蓄積手段を構成する前記圧縮コイルばねが前記ピストンロッドを包囲し、その第１端部を、前記ピストンロッドに摺動可能に配置された支持ケーシングを介して前記シリンダに支持すると、コンパクトな構成にすることができる。
【００２７】
前記ばね力蓄積手段を、前記ピストンロッドに対し同軸状に、ケーシングに配置し、前記ばね力蓄積手段の第２端部を前記ケーシングの底面に支持し、該底面は同軸状の開口を有し、前記ピストンロッドを、前記開口を貫通させて案内することができる。
【００２８】
ばね力蓄積手段にばね力を蓄積するために、前記支持ケーシングに引張ロープを固定し、この引張ロープを前記ピルトンロッドに対して平行に延在させ、前記テンション装置によって、前記ばね力蓄積手段の圧縮方向に移動駆動するよう構成することができる。ばね力蓄積手段をばね力蓄積位置に保持するために、ばね力蓄積手段をばね力蓄積位置において拘束装置によって拘束可能にすることができる。
【００２９】
エネルギー蓄積装置は、跳ね上げフラップに配置したトーションばねを有するものとし、このトーションばねによって、跳ね上げフラップに配置し、かつ回動軸に対して同軸状にもしくは平行な軸の周りに回動可能な回動レバーを、前記跳ね上げフラップの平面から離れる方向に回動駆動可能にし、該回動レバーの、前記軸側とは逆側の端部を、自動車の車体に支持可能にすると、同様に、フラップ開放装置を、容易に組み立てられ、僅少な設置スペースのみを必要とする構成にすることができる。
【００３０】
前記回動レバーを、前記軸周りに回転駆動可能な駆動軸から半径方向に突出するよう固定し、引張ロープの少なくとも一部が巻き付くロープドラムを前記駆動軸に配置し、この駆動軸は、トーションばねによって回転方向に力を受け、前記引張ロープは、テンション装置によって前記ロープドラムを回転駆動させ、前記トーションばねを緊張させ、駆動可能状態にすることができる。
【００３１】
本発明の実施例を図面に示し、これら図面につき以下で詳細に説明する。
【実施例１】
【００３２】
図示のフラップ開放装置は、図示しない自動車の跳ね上げフラップ、とくにテールゲートに配置し、このテールゲートは、自動車の車体開口部における上側端縁に設けた水平回動軸の周りに、下方の閉鎖位置から、上方の開放位置に回動可能である。
【００３３】
フラップ開放装置に、シリンダ２を有するガスばね１と、そのシリンダ２内部を加圧ガスで充填した２個の作業室に分割するピストンとを設ける。ピストンにはピストンロッド３を設け、このピストンロッドを、片方の側を密封状態にしてシリンダ２から導出させる。
【００３４】
さらに、フラップ開放装置に、エネルギー蓄積装置４を設け、このエネルギー蓄積装置４は、テンション装置５，５′によってその緊張状態に移行可能とし、跳ね上げテールゲートは、閉鎖状態を脱する開放ストロークの間に、ガスばね１による力に加えて、さらにエネルギー蓄積装置４によって力を受ける。
【００３５】
図１〜図３の実施例の場合、テンション装置５は可逆的な電動モータ６を有し、この電動モータ６は伝動装置７を介して、回転不能かつ軸線方向に移動可能なナット９とかみ合うねじロッド８を回転駆動する。
【００３６】
ナット９にばねケーシング１０を設け、このばねケーシング１０に、圧縮コイルばね１１の一方の端部を支持する。圧縮コイルばね１１は、ナット９およびねじロッド８を包囲し、その他方の端部は、伝動装置７の領域に支持する。
【００３７】
図１において、エネルギー蓄積装置４が跳ね上げフラップの開放移動を補助する前の、緊張状態にあるテンション装置５を示す。
【００３８】
この場合、ばねケーシング１０のナット９側とは逆側の端部に固定配置した内側ハウジング１２の底面に、スリーブ１３内部で摺動案内される押圧ケーブル１４の端面を接触させ、この押圧ケーブル１４の他方の端部を押圧部材１５に衝合させる。押圧部材１５は、シリンダ２から半径方向に突設する。
【００３９】
シリンダ２から突出するピストンロッド３の端部を、ガイド部分１６に固着し、このガイド部分１６には、ピストンロッド３と平行に、押圧ケーブル１４を摺動案内する。
【００４０】
ピストンロッド３の遊端は、跳ね上げフラップの回動軸に対し離間させて車体に連結し、ピストンロッド３の遊端側とは逆側におけるシリンダ２の端部を、回動軸に対し離間させて跳ね上げテールドアに関節連結する。
【００４１】
跳ね上げフラップがその閉鎖状態から開放状態へ移動しようとする場合、電動モータ６により、伝動装置７を介して、ナット９およびばねケーシング１０が圧縮コイルばね１１を釈放方向に移動するように、ねじロッド８を駆動する。その際、閉鎖状態において圧縮されていた圧縮コイルばね１１は釈放し、押圧ケーブル１４は、内側ハウジング１２によってテンション装置５の外部に摺動する。
【００４２】
これによって、押圧ケーブル１４の他方の端部は押圧部材１５を押圧し、シリンダ２は、図３に示す状態からピストンロッドから離れる方向に移動する。これに加えて、ガスばね１自体の押し出し力が作用し、より強い力による跳ね上げテールドアの開放移動を生じる。
【００４３】
この移動の際に、跳ね上げフラップが水平位置を過ぎると、圧縮コイルばねは完全に開放された位置に到達し、跳ね上げフラップのさらなる開放移動は、ガスばね１によってのみ行われる。しかし、このことは、跳ね上げテールドアの作用てこを短くし、開放移動に僅かな力で済むようにすれば、問題なく行うことができる。
【００４４】
圧縮コイルばね１１が、図２に示すような、完全に弛緩した位置に到達すると、電動モータ６は、圧縮コイルばね１１が、ばねハウジング１０によって再度圧縮緊張状態（図１参照）になるように、回転方向を反転させる。
【００４５】
跳ね上げフラップを再度閉鎖しようとする場合、その重量によって、さらに場合によっては手で軽く押して支援して、ガスばね１の力に対抗して跳ね上げフラップを閉じる。
【実施例２】
【００４６】
図４〜図６に示すフラップ開放装置の構成は、図１〜図３に示すフラップ開放装置とほとんど同様であり、対応する参照符号を付与して示す。
【００４７】
図１〜図３の実施例と異なり、シリンダ２には、押圧部材の代わりに、単腕（アーム）状の回動レバー１７を設ける。
【００４８】
回動レバー１７は、その一方の端部を、シリンダ２の、跳ね上げフラップに固定した端部と離間させ、回動軸に対して平行となるよう、シリンダ２に設けた軸１８に関節連結する。
【００４９】
回動レバー１７は、軸１８とは離間した部分で押圧ケーブル１４によって力を受け、これによって、図示されているようなガススプリングと平行な状態から、外方に回動することができる。
【００５０】
回動レバー１７は、図示しない車体に固定するスライドレーンに支持し、このスライドレーンは、例えば、跳ね上げフラップによって閉鎖されるべき開口部の側方領域における排水溝に、設けることができる。
【００５１】
跳ね上げフラップを開放する際、圧縮コイルばね１１が釈放されることによって、押圧ケーブル１４が回動レバー１７を押し、これによって、回動レバー１７は、ガスはね１から離反回動する。回動レバー１７は、遊端が車体に支持されるので、ガスばね１の、跳ね上げフラップの開放方向への回動が生じ、ガスばねによって生じる跳ね上げフラップの開放移動を補助する。
【実施例３】
【００５２】
図７〜図１０に示す実施例の場合、ピストンロッド３に支持ケーシング１９を摺動可能に設け、この支持ケーシング１９に、ピストンロッド３を包囲するテンション装置５′が有する圧縮コイルばね１１′の端部を支持する。ピストンロッド３の遊端の方向に延びる圧縮コイルばね１１′の他方の端部は、ピストンロッド３の一部分と、ガスばね１のシリンダ２の、ピストンロッド側の端部領域とを同軸に管状に包囲するケーシング２１の底面２０に支持する。
【００５３】
ピストンロッド３は、底面２０における同軸状の開口２２に貫通案内し、遊端の近傍に、拘束装置のための半径方向に突出する突起部２３を設ける。
【００５４】
支持ケーシング１９には、引張ロープ２４の端部を固定し、この引張ロープ２４は、ピストンロッド３と平行に、貫通口２５を経て、図示しないテンション装置に向けて外方に案内する。
【００５５】
図７〜図９において、圧縮コイルばね１１′は、３分の２だけ開放された状態を図示し、さらに、ケーシング２１の出口付近まで釈放することができる。
【００５６】
圧縮コイルばね１１′を圧縮するために、支持ケーシング１９は、テンション装置によって駆動する引張ロープ２４によって、底面２０近傍まで牽引される。この位置で、突起部２３は、拘束装置の、支持ケーシング１９に配置した保持素子２６にロックされ、支持ケーシング１９および圧縮コイルばね１１′は、跳ね上げフラップが閉じている場合にもこの姿勢で拘束される。
【００５７】
このような拘束装置は、いわゆるノック式ボールペンの原理で動作する。
【００５８】
跳ね上げフラップがその閉鎖状態から開放状態に移行しようとする場合、引張ロープ２４を少し引っ張ることによって、拘束装置が解放される。その後、引張ロープ２４を解放し、これにより、圧縮コイルばね１１′が釈放され、釈放位置に到達する。引張ロープ２４は、底部２０を経てピストンロッド３の遊端に設けた連結部材２７に支持し、また、支持ケーシング１９を介してシリンダ３に支持するので、ガスばねによるピストンロッド３の外方への移動は、圧縮コイルばね１１′によってのみ支援される。
【００５９】
圧縮コイルばね１１′が釈放位置に到達すると、ピストンロッド３は、ガスばねによってのみ、さらに端部位置まで外方移動し、このとき、跳ね上げフラップが完全に開いた状態になる。
【００６０】
同時に、テンション装置によって再度圧縮コイルばね１１′を圧縮し、跳ね上げテールドアを次に閉じる際に、圧縮コイルばね１１′が抵抗力を生じないようにする。
【実施例４】
【００６１】
図１１〜図１４に示すフラップ開放装置の場合、ガスばねは、エネルギー蓄積装置４およびエネルギー蓄積装置４によって作動する機構とは異なる機構に設ける。
【００６２】
この機構は、跳ね上げフラップの回動軸に対して同軸状もしくは平行な軸線２８の周りで回転可能に設置した駆動軸２９を有し、この駆動軸の一方の端部において、回動レバー３０を半径方向に突出させる。回動レバー３０の遊端を、車体に固定したスライドレーンに支持し、この摺動路は、例えば、跳ね上げフラップによって閉鎖すべき開口部の側方領域における排水溝に、配置することができる。
【００６３】
駆動軸２９の他方の端部を、跳ね上げフラップに固定した駆動ハウジング３２内に突入させ、駆動軸２９に固定したロープドラム３３を設ける。引張ロープ２４の端部領域は、少なくとも部分的にロープドラムに巻き付け、引張ロープ２４の端部を、ロープドラム３３に固着する。
【００６４】
引張ロープ２４は、貫通口２５を経て、駆動ハウジング３２から、図示しないテンション装置に案内する。
【００６５】
駆動ハウジング３２に配置した、図示しないエネルギー蓄積装置４のトーションばねを、駆動ハウジング３２に支持し、駆動軸２９に、ロープドラム３３が引張ロープ２４をほどく方向とは逆向きの力を加える。
【００６６】
跳ね上げフラップが閉じている場合、トーションばねは緊張状態になり、例えば、この引張ロープを緊張状態に保持する。
【００６７】
跳ね上げフラップを開こうとする場合、引張ロープ２４は解放状態になり、トーションばねは駆動軸２９を回転させ、回動レバー３０が回動する。
【００６８】
回動レバー３０の遊端が、スライドレーン３１によって車体に支持されることによって、開放方向への回転モーメントが跳ね上げフラップに作用し、跳ね上げフラップの開放行程の第１部分において、ガスばねによる開放力の補助を行う。
【００６９】
トーションばねが釈放位置に達すると、跳ね上げフラップのさらなる開放移動はガスばねによってのみ行われ、トーションばねは、引張ロープ２４のテンション装置による牽引駆動によって、再度緊張状態になる。
【００７０】
跳ね上げフラップには、跳ね上げフラップによって閉鎖すべき車体の開口部の側方領域において、フラップ開放装置を１個だけ配置することができる。しかし、跳ね上げフラップに均等に力を加えるために、好適には車体の開口部の両側の側方端縁に、それぞれフラップ開放装置を設けると好適である。
【図面の簡単な説明】
【００７１】
【図１】フラップ開放装置の第１実施例の一部断面とする側面図である。
【図２】図１のフラップ開放装置の締め付け装置を拡大した部分断面図である。
【図３】図１のフラップ開放装置のガスばね領域を拡大した一部断面とする側面図である。
【図４】フラップ開放装置の第２実施例の一部断面とする側面図である。
【図５】図４のフラップ開放装置のガスばね領域を拡大した側面図である。
【図６】図５のフラップ開放装置のガスばね領域の一部断面とする側面図である。
【図７】フラップ開放装置の第３実施例の側面図である。
【図８】図７のフラップ開放装置の一部断面とするである。
【図９】図７のフラップ開放装置の斜視図である。
【図１０】図７のフラップ開放装置の端面図である。
【図１１】フラップ開放装置の第４実施例の説明図である。
【図１２】図１１のフラップ開放装置の側面図である。
【図１３】図１１のフラップ開放装置の平面図である。
【図１４】図１１におけるXIV-XIV線上の断面図である。
【符号の説明】
【００７２】
１  ガスばね
２  シリンダ
３  ピストンロッド
４  エネルギー蓄積装置
５，５′  テンション装置
６  電動モータ
７  伝動装置
８  ねじロッド
９  ナット
１０  ばねケーシング
１１，１１’  圧縮コイルばね
１２  内側ハウジング
１３  スリーブ
１４  押圧ケーブル
１５  押圧部材
１６  ガイド部分
１７  回動レバー
１８  軸
１９  支持ケーシング
２０  底面
２１  ケーシング
２２  開口
２３  突起部
２４  引張ロープ
２５  貫通口
２６  保持素子
２７  連結部材
２８  軸
２９  駆動軸
３０  回動レバー
３１  スライドレーン
３２  駆動ハウジング
３３  ロープドラム
【図１】
0004562696.tif 000002
【図２】
0004562696.tif 000003
【図３】
0004562696.tif 000004
【図４】
0004562696.tif 000005
【図５】
0004562696.tif 000006
【図６】
0004562696.tif 000007
【図７】
0004562696.tif 000008
【図８】
0004562696.tif 000009
【図９】
0004562696.tif 000010
【図１０】
0004562696.tif 000011
【図１１】
0004562696.tif 000012
【図１２】
0004562696.tif 000013
【図１３】
0004562696.tif 000014
【図１４】
0004562696.tif 000015